(57)【要約】【課題】データの伝送品質を改善可能な面積流量の無線データ伝送方法を提供する。【解決手段】面積流量の無線データ伝送方法は、パイプライン内に面積流量監視装置を配置するステップと、計数期間を設定し、当該計数期間中に少なくとも１つのウェイクアップ時間を設定するステップと、少なくとも１つのウェイクアップ時間が達するたびに、面積流量監視装置がウェイクアップされて動作モードに入り、パイプラインの少なくとも１つの物理的パラメータを検出し、面積流量監視装置の少なくとも１つの装置パラメータを検出するステップと、計数期間が満たされるたびに、面積流量監視装置がウェイクアップされて動作モードに入り、少なくとも１つの物理的パラメータ及び少なくとも１つの装置パラメータに基づいて伝送データを提供し、パイプラインを貫くことで伝送データを遠隔システムに伝送するステップと、を含む。【選択図】図１
2020165827.tif 000002
【特許請求の範囲】
【請求項１】
パイプライン内に面積流量監視装置を配置するステップと、
計数期間を設定し、当該計数期間中に少なくとも１つのウェイクアップ時間を設定するステップと、
前記少なくとも１つのウェイクアップ時間が達するたびに、前記面積流量監視装置がウェイクアップされて動作モードに入り、前記パイプラインの少なくとも１つの物理的パラメータを検出し、前記面積流量監視装置の少なくとも１つの装置パラメータを検出するステップと、
前記計数期間が満たされるたびに、前記面積流量監視装置がウェイクアップされて動作モードに入り、前記少なくとも１つの物理的パラメータ及び前記少なくとも１つの装置パラメータに基づいて伝送データを提供し、前記パイプラインを貫くことで伝送データを遠隔システムに伝送するステップと、を含むことを特徴とする面積流量の無線データ伝送方法。
【請求項２】
前記伝送データは、時間データ、物理的パラメータデータ、装置データ、及び伝送品質データを含むステップと、
前記計数期間が満たされるたびに、前記面積流量監視装置は、前記少なくとも１つの物理的パラメータに基づいて物理的パラメータデータを作成するステップと、をさらに含むことを特徴とする請求項１に記載の面積流量の無線データ伝送方法。
【請求項３】
前記計数期間が満たされるたびに、前記面積流量監視装置は、前記時間データとして前記面積流量監視装置の装置時間を取得し、前記少なくとも１つの装置パラメータに基づいて装置データを作成するステップをさらに含むことを特徴とする請求項２に記載の面積流量の無線データ伝送方法。
【請求項４】
前記計数期間が満たされるたびに、前記面積流量監視装置は、前記伝送品質データとして前記面積流量監視装置と前記遠隔システムとの伝送品質を検出するステップをさらに含むことを特徴とする請求項２に記載の面積流量の無線データ伝送方法。
【請求項５】
前記遠隔システムは、前記伝送データを受信すると、前記面積流量監視装置にシステム応答を伝送するステップと、
前記面積流量監視装置は、前記システム応答を受信した場合、又は遅延時間内に前記システム応答を受信しなかった場合、スリープモードに入るステップと、をさらに含むことを特徴とする請求項４に記載の面積流量の無線データ伝送方法。
【請求項６】
前記遠隔システムは、前記伝送データを受信すると、前記伝送データに基づいて前記伝送品質を調整して、前記面積流量監視装置に前記システム応答を伝送するステップと、をさらに含むことを特徴とする請求項５に記載の面積流量の無線データ伝送方法。
【請求項７】
前記面積流量監視装置は、前記パイプラインを貫くことで前記伝送データを前記遠隔システムに伝送する前に、伝送に失敗したキューデータがある場合、当該キューデータを優先的に伝送してから前記伝送データを伝送するステップをさらに含むことを特徴とする請求項１に記載の面積流量の無線データ伝送方法。
【請求項８】
前記少なくとも１つのウェイクアップ時間に達するたびに、前記面積流量監視装置は、前記面積流量監視装置の記憶ユニットに前記少なくとも１つの物理的パラメータ及び前記少なくとも１つの装置パラメータを記憶するステップと、
前記計数期間が満たされるたびに、前記面積流量監視装置は、前記記憶ユニットの前記少なくとも１つの物理的パラメータ及び前記少なくとも１つの装置パラメータを取り出し、前記少なくとも１つの物理的パラメータ及び前記少なくとも１つの装置パラメータに基づいて伝送データを作成するステップと、を含むことを特徴とする請求項１に記載の面積流量の無線データ伝送方法。
【請求項９】
前記伝送データは、コマンド先頭とコマンド末尾とを含み、前記面積流量監視装置は、前記コマンド先頭及び前記コマンド末尾に基づいて完全な前記伝送データを提供したか否かを判断し、前記遠隔システムは、前記コマンド先頭及び前記コマンド末尾に基づいて完全な前記伝送データを受信したか否かを判断するステップをさらに含むことを特徴とする請求項１に記載の面積流量の無線データ伝送方法。
【請求項１０】
前記遠隔システムは、前記面積流量監視装置に設定データを伝送して、前記面積流量監視装置の動作パラメータを遠隔設定するステップをさらに含むことを特徴とする請求項１に記載の面積流量の無線データ伝送方法。
【発明の詳細な説明】
【技術分野】
【０００１】
本発明は、面積流量の無線データ伝送方法に関し、特に地下水量などのパラメータを伝送する面積流量の無線データ伝送方法に関する。
【背景技術】
【０００２】
下水道は、都市の公共施設の一つであり、古代ローマの時代にすでに現れている。下水道には合流式下水道と分流式下水道の２種類がある。降雨による雨水と汚水を同一の管渠で集める方式を合流式下水道といい、その管渠が合流管と呼ばれる。雨水と汚水を別々の管渠で集める方式を分流式下水道といい、その管渠がそれぞれ雨水管と汚水管と呼ばれる。
【０００３】
台湾では、降雨量が多く、河川の流量が少ないため、希釈能力が乏しい。そのため、分流式下水道が一般的に使用されている。下水道の機能は、人々の生活で発生した浴室、トイレや台所などの家庭汚水を地下に埋設された密閉式汚水管で集め、水リサイクルセンターに送水し、汚染された不純物を除去して放流する。これにより、河川汚染を減らし、家庭の環境衛生を改善することができる。都市の建設と発展に伴い、関連する下水道パイプラインシステムは将来ますます複雑になり、パイプラインデータの管理もますます重要になる。完成された下水道システムと下水処理場では、下水道システムのサービスレベルを確保するために適切な維持管理も必要である。
【発明の概要】
【発明が解決しようとする課題】
【０００４】
しかしながら、下水道内の検出装置は、長期間にわたって閉鎖的で湿った環境にあるため、下水道内の監視装置が下水道を貫くことで遠隔システムにデータを伝送する際に信号品質が悪く、伝送失敗を引き起こしやすい問題があった。
【０００５】
したがって、如何にしてデータの伝送品質を改善可能な面積流量の無線データ伝送方法を設計するかが、本発明者が解決しようとする大きな課題である。
【０００６】
本発明の主な目的は、面積流量監視装置をパイプライン内に完全かつ防水的に配置し、伝送品質データを含む伝送データを伝送することで、伝送データの伝送品質を改善可能な面積流量の無線データ伝送方法を提供することである。
【課題を解決するための手段】
【０００７】
上記目的を達成するため、本発明に係る面積流量の無線データ伝送方法は、パイプライン内に面積流量監視装置を配置するステップと、計数期間を設定し、計数期間中に少なくとも１つのウェイクアップ時間を設定するステップと、少なくとも１つのウェイクアップ時間が達するたびに、面積流量監視装置がウェイクアップされて動作モードに入り、パイプラインの少なくとも１つの物理的パラメータを検出し、面積流量監視装置の少なくとも１つの装置パラメータを検出するステップと、計数期間が満たされるたびに、面積流量監視装置がウェイクアップされて動作モードに入り、少なくとも１つの物理的パラメータ及び少なくとも１つの装置パラメータに基づいて伝送データを提供し、パイプラインを貫くことで伝送データを遠隔システムに伝送するステップと、を含む。
【０００８】
一実施形態において、本発明に係る面積流量の無線データ伝送方法は、伝送データは、時間データ、物理的パラメータデータ、装置データ、及び伝送品質データを含むステップと、計数期間が満たされるたびに、面積流量監視装置は、少なくとも１つの物理的パラメータに基づいて物理的パラメータデータを作成するステップと、をさらに含む。
【０００９】
一実施形態において、本発明に係る面積流量の無線データ伝送方法は、計数期間が満たされるたびに、面積流量監視装置は、時間データとして面積流量監視装置の装置時間を取得し、少なくとも１つの装置パラメータに基づいて装置データを作成するステップをさらに含む。
【００１０】
一実施形態において、本発明に係る面積流量の無線データ伝送方法は、計数期間が満たされるたびに、面積流量監視装置は、伝送品質データとして面積流量監視装置と遠隔システムとの伝送品質を検出するステップをさらに含む。
【００１１】
一実施形態において、本発明に係る面積流量の無線データ伝送方法は、遠隔システムは、伝送データを受信すると、面積流量監視装置にシステム応答を伝送するステップと、面積流量監視装置は、システム応答を受信した場合、又は遅延時間内にシステム応答を受信しなかった場合、スリープモードに入るステップと、をさらに含む。
【００１２】
一実施形態において、本発明に係る面積流量の無線データ伝送方法は、遠隔システムは、伝送データを受信すると、伝送データに基づいて伝送品質を調整して、面積流量監視装置にシステム応答を伝送するステップと、をさらに含む。
【００１３】
一実施形態において、本発明に係る面積流量の無線データ伝送方法は、面積流量監視装置は、パイプラインを貫くことで伝送データを遠隔システムに伝送する前に、正常に伝送されなかったキューデータがある場合、キューデータを優先的に伝送してから伝送データを伝送するステップをさらに含む。
【００１４】
一実施形態において、本発明に係る面積流量の無線データ伝送方法は、少なくとも１つのウェイクアップ時間に達するたびに、面積流量監視装置は、面積流量監視装置の記憶ユニットに少なくとも１つの物理的パラメータ及び少なくとも１つの装置パラメータを記憶するステップと、計数期間が満たされるたびに、面積流量監視装置は、記憶ユニットの少なくとも１つの物理的パラメータ及び少なくとも１つの装置パラメータを取り出し、少なくとも１つの物理的パラメータ及び少なくとも１つの装置パラメータに基づいて伝送データを作成するステップとを含む。
【００１５】
一実施形態において、本発明に係る面積流量の無線データ伝送方法は、伝送データは、コマンド先頭とコマンド末尾とを含み、面積流量監視装置は、コマンド先頭及びコマンド末尾に基づいて完全な伝送データを提供したか否かを判断し、遠隔システムは、コマンド先頭及びコマンド末尾に基づいて完全な伝送データを受信したか否かを判断するステップをさらに含む。
【００１６】
一実施形態において、本発明に係る面積流量の無線データ伝送方法は、遠隔システムは、面積流量監視装置に設定データを伝送して、面積流量監視装置の動作パラメータを遠隔設定するステップをさらに含む。
【発明の効果】
【００１７】
（１）本発明の面積流量の無線データ伝送方法によれば、ウェイクアップ時間に物理的パラメータと装置パラメータとを検出して記憶ユニットに記憶し、計数期間が満たされるときに伝送データを伝送するので、面積流量監視装置の消費電力を大幅に削減することができる。
【００１８】
（２）本発明の面積流量の無線データ伝送方法によれば、１つの伝送データを伝送した後に、遠隔システムの応答を待て、次のデータ伝送を行うので、面積流量監視装置が複数の伝送データを連続伝送してから複数のデータが伝送に失敗したことが発見されることを回避することができる。
【００１９】
（３）本発明の面積流量の無線データ伝送方法によれば、データの送信が伝送可能な最大データ数に制限されるので、面積流量監視装置１は、一回のデータ伝送でのデータ数が多すぎて電力消費が多すぎることを回避することができる。
【００２０】
（４）本発明の面積流量の無線データ伝送方法によれば、伝送フォーマットが伝送品質データを含むので、伝送データに応じて遠隔システムが自身のアンテナ増幅電力を調整することで、伝送品質を改善することができる。
【００２１】
（５）本発明の面積流量の無線データ伝送方法によれば、伝送フォーマットがコマンド先頭とコマンド末尾とを含むので、遠隔システム又は面積流量監視装置は、受信データの完全性を容易に判断することができる。
【００２２】
（６）本発明の遠隔システムは、設定データを伝送することで、面積流量監視装置のパラメータを遠隔設定できるので、面積流量監視装置の運用効率をリアルタイムに向上させることができる。
【図面の簡単な説明】
【００２３】
【図１】本発明に係る面積流量監視装置を示す概略構造図である。
【図２Ａ】本発明に係る面積流量の無線データ伝送方法の計数期間が満たされていない場合のフローチャートである。
【図２Ｂ】本発明に係る面積流量の無線データ伝送方法の計数期間が満たされた場合に伝送データを伝送するフローチャートである。
【図２Ｃ】本発明に係る面積流量の無線データ伝送方法の計数期間が満たされた場合にキューデータを伝送するフローチャートである。
【図３Ａ】本発明に係る面積流量の無線データ伝送方法の伝送データの送信フォーマットを示す概略図である。
【図３Ｂ】本発明の面積流量の無線データ伝送方法のシステム応答の送信フォーマットを示す概略図である。
【図３Ｃ】本発明の面積流量の無線データ伝送方法の設定データの送信フォーマットを示す概略図である。
【発明を実施するための形態】
【００２４】
本発明が上記の目的を達成するために採用する技術、手段及び効果がより詳細に理解されるように、以下で本発明に関する詳細な説明及び図面を参照されたい。本発明の目的、特徴及び特長は、これにより深くかつ具体的に理解できると確信するが、添付の図面は単に参考及び説明用として提供するものであって、本発明を制限するためのものではない。
【００２５】
図１は、本発明に係る面積流量監視装置を示す概略構造図である。面積流量監視装置１は、パイプライン２内に完全に配置され、例えば、特に、下水道のような地下パイプライン内に配置されてもよいが、これに限定されない。面積流量監視装置１は、パイプライン２内の少なくとも１つの物理的パラメータＰを監視及び記録するように構成され、例えば、パイプライン２内の水流量を監視及び記録し、パイプライン２を貫くことで遠隔システムへ３に物理的パラメータＰを伝送してもよいが、これに限定されない。具体的に、従来の監視装置では、通常、監視装置と伝送部品や電池などの部品とを分離し、地表面に伝送部品や電池などの部品を配置する。しかし、伝送部品や電池などの部品を分離して地表面に設置する場合、壁面などの足場や支点を見つけて設置する必要がある。都市に設置される場合には、壁がほとんど私有財産であり、郊外に設置される場合には、足場のある壁を見つけることが容易ではない。直接地面に設置すると、人や車などを通過することで伝送部品や電池などの部品につぶれたり衝突したりするかもしれない。したがって、本発明は、面積流量監視装置１をパイプライン２内に完全かつ防水的に配置し、独特な面積流量の無線データ伝送方法を利用して、スマートシティ情報の双方向伝送を監視する目的を達成する。
【００２６】
なお、本発明の一実施形態では、物理的パラメータＰは、例えば、流量パラメータ（順方向流量パラメータ、逆方向流量パラメータや双方向流量パラメータなどを含む）、温度パラメータ、圧力パラメータ、水質パラメータ、導電率パラメータ、ｐＨ値パラメータ又は濁度パラメータのうちの１つ又はこれらの組み合わせであってもよいが、これらに限定されない。また、無線データ伝送方法は、ＬｏＲａ（Ｌｏｎｇ  Ｒａｎｇｅ）伝送、ＮＢ−ＩｏＴ（Ｎａｒｒｏｗ  Ｂａｎｄ  Ｉｎｔｅｒｎｅｔ  ｏｆ  Ｔｈｉｎｇｓ）伝送、Ｃａｔ−Ｍ１伝送、又は５Ｇ伝送などの通信プロトコルを利用することができる。
【００２７】
図２Ａは、本発明に係る面積流量の無線データ伝送方法の計数期間が満たされていない場合のフローチャートである。図１及び図２Ａを参照すると、面積流量監視装置１がパイプライン２内の物理的パラメータＰを監視して記録する前に、面積流量監視装置１は、計数期間（例えば、１０分）を設定し、計数期間に少なくとも１つのウェイクアップ時間（例えば、１分）を設定する（Ｓ１００）。そして、ウェイクアップ時間に達したか否かを判断する（Ｓ２００）。面積流量監視装置１は、その内部に計数ユニット（図示せず）が備えられる。計数ユニットは、時間を計数するために用いられ、計数された時間がウェイクアップ時間に達したか否かを継続的に検出する。そして、ウェイクアップ時間に達すると、面積流量監視装置１は、ウェイクアップされて動作モードに入り、パイプライン２の物理的パラメータＰを検出し、面積流量監視装置１の少なくとも１つの装置パラメータを検出する（Ｓ３００）。ウェイクアップ時間（１分）に達すると、面積流量監視装置１は、内部の計数ユニットによりウェイクアップされて動作モードに入る。このとき、面積流量監視装置１は、パイプライン２の物理的パラメータＰ、例えば、流量パラメータ、温度パラメータ及び圧力パラメータ等を検出するが、これらに限定されない。また、面積流量監視装置１は、自身の装置パラメータ、例えば、動作電流、電池電量、動作温度などの装置パラメータも検出するが、これらに限定されない。
【００２８】
具体的には、面積流量監視装置１が任意の外部電源に接続されていないため、面積流量監視装置１の動作による消費電力が面積流量監視装置１の内部電池電力のみに依存する。したがって、ウェイクアップ時間（１分）に達すると、面積流量監視装置１は、自身の動作能力を随時把握するために、自身の装置パラメータも同時に検出する。なお、本発明の一実施形態において、装置パラメータは、例えば、動作電流、電池電量、動作温度、計数期間及びウェイクアップ時間の設定や面積流量監視装置１の内部素子が正常に動作しているか否かを示す装置パラメータを含んでもよいが、これらに限定されない。
【００２９】
そして、面積流量監視装置１は、物理的パラメータＰ及び装置パラメータを記憶ユニットに記憶する（Ｓ４００）。具体的に、面積流量監視装置１は、内部に記憶ユニット（図示せず）が備えられ、物理的パラメータＰ及び装置パラメータを検出すると、記憶ユニットに物理的パラメータＰ及び装置パラメータを一時的に記憶して、計数期間中に取り出して遠隔システム３に伝送することができる。次に、計数期間が満たされたか否かを判断する（Ｓ５００）。面積流量監視装置１は、内部に計数された時間が計数期間を満たしているか否かを継続的に検出するための計数ユニット（図示せず）が備えられる。計数期間が満たされていない場合、面積流量監視装置１は、上記ステップ（Ｓ１００）〜（Ｓ５００）を実行した後にスリープモードに入り（Ｓ６００）、ステップＳ２００に戻る。
【００３０】
図２Ｂは、本発明に係る面積流量の無線データ伝送方法の計数期間が満たされた場合に伝送データを伝送するフローチャートである。図１〜図２Ｂを参照すると、図２ＡのステップＳ５００において、計数ユニットは、計数期間が満たされていると判断した場合、面積流量監視装置１がウェイクアップされて動作モードに入る。このとき、面積流量監視装置１は、記憶ユニットの物理的パラメータＰ及び装置パラメータを取り出し、物理的パラメータＰ及び装置パラメータに基づいて伝送データを作成する（Ｓ７００）。そして、面積流量監視装置１は、伝送データを作成した後、伝送データを遠隔システム３に伝送する前に、伝送に失敗したキューデータがあるか否かを判断する（Ｓ７１０）。面積流量監視装置１は、伝送に失敗したキューデータがない場合、パイプライン２を貫くことで伝送データを遠隔システム３に伝送し（Ｓ７２０）、遠隔システム３が応答するのを待つ。具体的に、遠隔システム３は、伝送データを受信すると、システム応答を面積流量監視装置１に返信する。そのため、面積流量監視装置１は、パイプライン２を貫くことで伝送データを遠隔システム３に伝送した後、遅延時間内にシステム応答を受信したか否かを判断する（Ｓ７３０）。
【００３１】
面積流量監視装置１は、遅延時間内にシステム応答を受信すると、未伝送の伝送データがあるか否かを判断する（Ｓ７４０）。未伝送の伝送データがある場合、ステップＳ７２０に戻る。未伝送の伝送データがない場合、面積流量監視装置１は、スリープモードに入り（Ｓ７５０）、次のウェイクアップ時間に達すると、再び起動する。面積流量監視装置１は、遅延時間内にシステム応答を受信しなかった場合、今回伝送しようとする伝送データをキューデータに変換して記憶ユニットに記憶する（Ｓ７６０）。最後に、ステップＳ７５０に戻る。具体的に、計数期間には複数のウェイクアップ時間が含まれることがあるため、一例として、計数期間を１０分とし、ウェイクアップ時間を１分とすると、計数期間は１０回のウェイクアップ時間を含み、面積流量監視装置１は、物理的パラメータＰ及び装置パラメータを１０回検出し、計数期間が満たされると、この１０回のパラメータを１０個の伝送データに変換するので、ステップＳ７２０〜Ｓ７４０は、ステップＳ７５０に移行する前に１０回実行することになる。これにより、面積流量監視装置１が複数の伝送データを連続伝送してから複数のデータが伝送に失敗したことが発見されることを回避することができる。
【００３２】
図２Ｃは、本発明に係る面積流量の無線データ伝送方法の計数期間が満たされた場合にキューデータを伝送するフローチャートである。図１〜図２Ｃを参照すると、図２Ｂに示すステップＳ７１０において、伝送に失敗したキューデータがある場合、面積流量監視装置１は、パイプライン２を貫くことでキューデータを遠隔システム３に優先的に伝送し（Ｓ８００）、遠隔システムが応答するのを待つ。具体的に、遠隔システム３は、キューデータを受信すると、システム応答を面積流量監視装置１にも返信する。そのため、面積流量監視装置１は、パイプライン２を貫くことでキューデータを遠隔システム３に伝送した後、遅延時間内にシステム応答を受信したか否かを判断する（Ｓ８１０）。
【００３３】
面積流量監視装置１は、遅延時間内にシステム応答を受信すると、未伝送のキューデータがあるか否かを判断する（Ｓ８２０）。未伝送のキューデータがある場合は、ステップＳ８００に戻る。未伝送のキューデータがない場合、ステップＳ７２０に戻り、面積流量監視装置１に伝送データの伝送を行わせる。面積流量監視装置１は、遅延時間内にシステム応答を受信しなかった場合、今回伝送しようとする伝送データをキューデータに変換して記憶ユニットに記憶する（Ｓ７６０）。つまり、前回未伝送のキューデータに今回未伝送の伝送データが足して新たなキューデータとなる。最後に、ステップＳ７５０に戻る。なお、本発明の一実施形態において、上記キューデータは１つ又は複数であってもよく、本発明が伝送可能な最大データ数は、例えば、６００であってもよいが、これに限定されない。この伝送可能な最大データ数は、一回のデータ伝送で面積流量監視装置１の電力消費が多すぎないように設定されるものである。したがって、実際に適用する際に、ユーザにより伝送可能な最大データ数が設定されることができる。
【００３４】
図３Ａは、本発明に係る面積流量の無線データ伝送方法の伝送データの送信フォーマットを示す概略図である。図１〜図３Ａを参照すると、伝送データ１００は、時間データ１０と、物理的パラメータデータ２０と、装置データ３０とを含む。計数期間が満たされるたびに、面積流量監視装置１は、計数ユニットによって計数された装置時間（即ち、現在の標準時間）を時間データ１０（図３Ａの例では、日付及び時分を含む）として用いる。それとともに、面積流量監視装置１は、記憶ユニットから記憶されている物理的パラメータを取り出して物理的パラメータデータ２０（図３Ａの例では、流量パラメータ、総順方向流量パラメータ、総逆方向流量パラメータ、総双方向流量パラメータ及び圧力パラメータを含む）を作成する。また、面積流量監視装置１は、記憶ユニットから記憶されている装置パラメータを取り出して装置データ３０（図３Ａの例では、動作電流及び電池電量を含む）を作成する。
【００３５】
伝送データ１００は、装置コードデータ４０と、伝送品質データ５０とをさらに含む。具体的には、スマートシティには、複数の面積流量監視装置１が設置されてもよい。各面積流量監視装置１は番号を有し、装置コードデータ４０は面積流量監視装置１が属する番号を表す。このようにして、遠隔システム３は、受信した伝送データ１００がどのグループの面積流量監視装置１であるかを識別することができる。伝送品質データ５０は、無線伝送の受信信号強度インジケータ（Ｒｅｌａｔｉｖｅ  Ｓｉｇｎａｌ  Ｓｔｒｅｎｇｔｈ  ＩＮｄｅｘ，ＲＳＳＩ）であり、遠隔システム３へ伝送する信号レベルを表す。計数期間が満たされると、面積流量監視装置１は、伝送品質データ５０として面積流量監視装置１と遠隔システム３との伝送品質を検出して遠隔システム３に伝送することで、遠隔システム３は、伝送データ１００により、面積流量監視装置１との間の伝送品質を知ることができる。遠隔システム３は、伝送データ１００を受信すると、伝送データ１００に基づいてアンテナ増幅電力を調整して伝送品質を向上させた後、面積流量監視装置１にシステム応答を伝送することができる。
【００３６】
図３Ａを再び参照すると、伝送データ１００は、伝送データ１００の先頭に設けられるコマンド先頭Ａと、伝送データ１００の末尾に設けられるコマンド末尾Ｂとをさらに含む。コマンド先頭Ａからコマンド末尾Ｂまでが１つの完全な伝送データ１００を表す。面積流量監視装置１は、コマンド先頭Ａ及びコマンド末尾Ｂに基づいて、完全な伝送データ１００を提供したか否かを判断する。伝送データ１００が遠隔システム３に伝送されると、遠隔システム３は、伝送データ１００がコマンド先頭Ａとコマンド末尾Ｂとを含むか否かによって、完全な伝送データ１００を受信したか否かを判断することができる。
【００３７】
図３Ｂは、本発明の面積流量の無線データ伝送方法のシステム応答の送信フォーマットを示す概略図である。図１〜図３Ｂを参照すると、遠隔システム３が伝送するシステム応答は、主に、面積流量監視装置１が伝送した伝送データ１００を受信し、応答した伝送データ１００を受信したことを表すシステム応答２００である。システム応答２００の先頭と末尾には、コマンド先頭Ａとコマンド末尾Ｂも含まれているので、面積流量監視装置１は、システム応答２００にコマンド先頭Ａとコマンド末尾Ｂとが含まれているか否かによって、完全なシステム応答を受信したか否かを判断することができる。
【００３８】
図３Ｃは、本発明の面積流量の無線データ伝送方法の設定データの送信フォーマットを示す概略図である。図１〜図３Ｃを参照すると、遠隔システム３は、面積流量監視装置１に設定データ３００を伝送することで、面積流量監視装置１の動作パラメータを遠隔設定することができる。設定データ３００の先頭と末尾にはコマンド先頭Ａとコマンド末尾Ｂも含まれているので、面積流量監視装置１は、設定データ３００にコマンド先頭Ａとコマンド末尾Ｂが含まれているか否かによって、完全なシステム応答を受信したか否かを判断することができる。具体的に、遠隔システム３は、伝送データ１００を受信したとき、又は伝送データ１００を受信しなかったとき（即ち、随時に）、面積流量監視装置１に設定データ３００を伝送してもよい。遠隔システム３によって設定可能な面積流量監視装置１のパラメータは、例えば、面積流量監視装置１のアンテナ（図示せず）のアンテナ増幅電力３０２、アンテナ方向３０４、計数期間設定３０６（即ち、伝送データ１００の伝送頻度）、ウェイクアップ時間設定３０８（即ち、物理的パラメータＰの検出頻度）などのパラメータを含んでもよい。
【００３９】
上述したように、本発明の実施形態は以下の利点及び効果を有する。
【００４０】
（１）本発明の面積流量の無線データ伝送方法によれば、ウェイクアップ時間に物理的パラメータと装置パラメータとを検出して記憶ユニットに記憶し、計数期間が満たされるときに伝送データを伝送するので、面積流量監視装置の消費電力を大幅に削減することができる。
【００４１】
（２）本発明の面積流量の無線データ伝送方法によれば、１つの伝送データを伝送した後に、遠隔システムの応答を待て、次のデータ伝送を行うので、面積流量監視装置が複数の伝送データを連続伝送してから複数のデータが伝送に失敗したことが発見されることを回避することができる。
【００４２】
（３）本発明の面積流量の無線データ伝送方法によれば、データの送信が伝送可能な最大データ数に制限されるので、面積流量監視装置１は、一回のデータ伝送でのデータ数が多すぎて電力消費が多すぎることを回避することができる。
【００４３】
（４）本発明の面積流量の無線データ伝送方法によれば、伝送フォーマットが伝送品質データを含むので、伝送データに応じて遠隔システムが自身のアンテナ増幅電力を調整することで、伝送品質を改善することができる。
【００４４】
（５）本発明の面積流量の無線データ伝送方法によれば、伝送フォーマットがコマンド先頭とコマンド末尾とを含むので、遠隔システム又は面積流量監視装置は、受信データの完全性を容易に判断することができる。
【００４５】
（６）本発明の遠隔システムは、設定データを伝送することで、面積流量監視装置のパラメータを遠隔設定できるので、面積流量監視装置の運用効率をリアルタイムに向上させることができる。
【００４６】
ただし、上述したのは、本発明の好ましい実施例の詳細な説明及び図面に過ぎず、本発明の特徴はこれに限定されるものではないため、本発明を限定するために用いられるものではなく、本発明の全ての範囲は別紙の特許請求の範囲を基準とすべきである。およそ本発明の特許請求の範囲における技術的思想及びその類似の変化の実施例に合うものは、いずれも本発明の範疇に含まれるものであって、当業者が本発明の範囲内で容易に想到し得る変化又は付加はいずれも本願の特許請求の範囲に含まれるものである。
【符号の説明】
【００４７】
１…面積流量監視装置
２…パイプライン
３…遠隔システム
１０…時間データ
２０…物理的パラメータデータ
３０…装置データ
４０…装置コードデータ
５０…伝送品質データ
１００…伝送データ
２００…システム応答
３００…設定データ
３０２…アンテナ増幅電力
３０４…アンテナ方向
３０６…計数期間設定
３０８…ウェイクアップ時間設定
Ａ…コマンド先頭
Ｂ…コマンド末尾
Ｐ…物理的パラメータ
【図１】
2020165827.tif 000003
【図２Ａ】
2020165827.tif 000004
【図２Ｂ】
2020165827.tif 000005
【図２Ｃ】
2020165827.tif 000006
【図３Ａ】
2020165827.tif 000007
【図３Ｂ】
2020165827.tif 000008
【図３Ｃ】
2020165827.tif 000009
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
パイプライン内に面積流量監視装置を配置するステップと、
計数期間を設定し、当該計数期間中に少なくとも１つのウェイクアップ時間を設定するステップと、
前記少なくとも１つのウェイクアップ時間が達するたびに、前記面積流量監視装置がウェイクアップされて動作モードに入り、前記パイプラインの少なくとも１つの物理的パラメータを検出し、前記面積流量監視装置の少なくとも１つの装置パラメータを検出し、前記面積流量監視装置が少なくとも１つの物理的パラメータ及び少なくとも１つの装置パラメータを前記面積流量監視装置の記憶ユニットに記憶するステップと、
前記計数期間が満たされるたびに、前記面積流量監視装置がウェイクアップされて動作モードに入り、前記面積流量監視装置が前記記憶ユニットの前記少なくとも１つの物理的パラメータ及び前記少なくとも１つの装置パラメータを取り出し、前記少なくとも１つの物理的パラメータ及び前記少なくとも１つの装置パラメータに基づいて伝送データを作成し、前記パイプラインを貫くことで伝送データを遠隔システムに伝送し、前記伝送データは、時間データ、物理的パラメータデータ、装置データ、及び伝送品質データを含み、前記計数期間が満たされるたびに、前記面積流量監視装置は、前記少なくとも１つの物理的パラメータに基づいて物理的パラメータデータを作成するステップと、
前記面積流量監視装置は、前記パイプラインを貫くことで前記伝送データを前記遠隔システムに伝送する前に、伝送に失敗したキューデータがある場合、当該キューデータを優先的に伝送してから前記伝送データを伝送し、前記キューデータは少なくとも一つの伝送データを含み、かつ、前記少なくとも一つの伝送データを伝送する過程において、複数回に分けて伝送完了を確認することで前記少なくとも一つの伝送データの伝送を行うステップと、を含むことを特徴とする面積流量の無線データ伝送方法。
【請求項２】
前記計数期間が満たされるたびに、前記面積流量監視装置は、前記時間データとして前記面積流量監視装置の装置時間を取得し、前記少なくとも１つの装置パラメータに基づいて装置データを作成するステップをさらに含むことを特徴とする請求項１に記載の面積流量の無線データ伝送方法。
【請求項３】
前記計数期間が満たされるたびに、前記面積流量監視装置は、前記伝送品質データとして前記面積流量監視装置と前記遠隔システムとの伝送品質を検出するステップをさらに含むことを特徴とする請求項１に記載の面積流量の無線データ伝送方法。
【請求項４】
前記遠隔システムは、前記伝送データを受信すると、前記面積流量監視装置にシステム応答を伝送するステップと、
前記面積流量監視装置は、前記システム応答を受信した場合、又は遅延時間内に前記システム応答を受信しなかった場合、スリープモードに入るステップと、をさらに含むことを特徴とする請求項３に記載の面積流量の無線データ伝送方法。
【請求項５】
前記遠隔システムは、前記伝送データを受信すると、前記伝送データに基づいて前記伝送品質を調整して、前記面積流量監視装置に前記システム応答を伝送するステップと、をさらに含むことを特徴とする請求項４に記載の面積流量の無線データ伝送方法。
【請求項６】
前記伝送データは、コマンド先頭とコマンド末尾とを含み、前記面積流量監視装置は、前記コマンド先頭及び前記コマンド末尾に基づいて完全な前記伝送データを提供したか否かを判断し、前記遠隔システムは、前記コマンド先頭及び前記コマンド末尾に基づいて完全な前記伝送データを受信したか否かを判断するステップをさらに含むことを特徴とする請求項１に記載の面積流量の無線データ伝送方法。
【請求項７】
前記遠隔システムは、前記面積流量監視装置に設定データを伝送して、前記面積流量監視装置の動作パラメータを遠隔設定するステップをさらに含むことを特徴とする請求項１に記載の面積流量の無線データ伝送方法。
【請求項８】
前記面積流量監視装置は、伝送可能な最大データ数を設定し、前記計数期間が満たされると前記キューデータ及び前記伝送データを伝送し、かつ、前記キューデータ及び前記伝送データの総計が前記伝送可能な最大データ数を超えるとき、前記面積流量監視装置は伝送を停止し、かつスリープモードに入るステップをさらに含むことを特徴とする請求項１に記載の面積流量の無線データ伝送方法。